(57)【要約】放送チャンネル変更検出装置は、放送波の物理チャンネルの変更日時と変更前後の物理チャンネルとを含むチャンネル変更情報を含む放送波を受信し、上記チャンネル変更情報に基づいて、テレビジョン受信装置において変更すべき物理チャンネルに関する変更日時と変更前後の物理チャンネルとを含むチャンネル変更予定情報を検索して検出する。次いで、検出されたチャンネル変更予定情報に基づいて、上記チャンネル変更予定情報内の変更日時が現在日時よりも以前であるときに、上記チャンネル変更予定情報内の変更後の物理チャンネルで放送波を受信して実際に受信できるか否かを判断する。
2005011265.tif 000002
【特許請求の範囲】
【請求項１】
放送波の物理チャンネルの変更日時と変更前後の物理チャンネルとを含むチャンネル変更情報を含む放送波を受信し、上記チャンネル変更情報に基づいて、テレビジョン受信装置において変更すべき物理チャンネルに関する変更日時と変更前後の物理チャンネルとを含むチャンネル変更予定情報を検索して検出する検出手段とを備えたことを特徴とする放送チャンネル変更検出装置。
【請求項２】
テレビジョン受信装置により受信される放送波の物理チャンネルを含むチャンネルプリセット情報を予め格納する第１の記憶手段と、
放送波の物理チャンネルの変更日時と変更前後の物理チャンネルとを含むチャンネル変更情報を含む放送波を受信し、上記チャンネルプリセット情報と、上記チャンネル変更情報とに基づいて、上記テレビジョン受信装置において変更すべき物理チャンネルに関する変更日時と変更前後の物理チャンネルとを含むチャンネル変更予定情報を検索して検出する検出手段とを備えたことを特徴とする放送チャンネル変更検出装置。
【請求項３】
上記検出されたチャンネル変更予定情報に基づいて、上記チャンネル変更予定情報内の変更日時が現在日時よりも以前であるときに、上記チャンネル変更予定情報内の変更後の物理チャンネルで放送波を受信して実際に受信できるか否かを判断する判断手段をさらに備えたことを特徴とする請求項１又は２記載の放送チャンネル変更検出装置。
【請求項４】
上記判断手段は、実際に受信できる放送波に関する変更前後の物理チャンネルをチャンネル移行リストとして第２の記憶手段に格納することを特徴とする請求項３記載の放送チャンネル変更検出装置。
【請求項５】
上記格納されたチャンネル移行リストの情報を利用者に報知する報知手段をさらに備えたことを特徴とする請求項４記載の放送チャンネル変更検出装置。
【請求項６】
上記格納されたチャンネル移行リストの情報に基づいて、テレビジョン受信装置により受信される放送波の物理チャンネルを含むチャンネルプリセット情報を更新する更新手段をさらに備えたことを特徴とする請求項４又は５記載の放送チャンネル変更検出装置。
【請求項７】
上記検出されたチャンネル変更予定情報を利用者に報知する報知手段をさらに備えたことを特徴とする請求項１又は２記載の放送チャンネル変更検出装置。
【請求項８】
上記検出されたチャンネル変更予定情報に基づいて、テレビジョン受信装置により受信される放送波の物理チャンネルを含むチャンネルプリセット情報を更新する更新手段をさらに備えたことを特徴とする請求項１、２又は７記載の放送チャンネル変更検出装置。
【請求項９】
請求項１乃至８のうちのいずれか１つに記載の放送チャンネル変更検出装置と、
放送波を受信して、受信された放送波の映像信号及び音声信号を録画する録画手段とを備えたことを特徴とする録画装置。
【請求項１０】
録画予約された録画処理を実行するときに、上記チャンネル変更予定情報に基づいて、変更後の物理チャンネルがあるか否かを判断し、上記変更後の物理チャンネルがあるときに、上記チャンネル変更予定情報内の変更後の物理チャンネルで放送波を受信して実際に受信できるか否かを判断し、実際に受信できるときに録画処理を実行する制御手段をさらに備えたことを特徴とする請求項９記載の録画装置。
【請求項１１】
上記制御手段は、実際に受信できないときに、録画処理に失敗した旨を報知することを特徴とする請求項１０記載の録画装置。
【請求項１２】
録画予約された録画処理を実行するときに、上記チャンネル移行リストに基づいて、変更後の物理チャンネルがあるか否かを判断し、上記変更後の物理チャンネルがあるときに、上記チャンネル移行リスト内の変更後の物理チャンネルで放送波を受信して実際に受信できるか否かを判断し、実際に受信できるときに録画処理を実行する制御手段をさらに備えたことを特徴とする請求項９記載の録画装置。
【請求項１３】
上記制御手段は、実際に受信できないときに、録画処理に失敗した旨を報知することを特徴とする請求項１０記載の録画装置。
【請求項１４】
放送波を受信して、上記受信された放送波の映像信号及び音声信号をそれぞれ表示し出力することを特徴とするテレビジョン受信装置において、
請求項１乃至８のうちのいずれか１つに記載の放送チャンネル変更検出装置を備えたことを特徴とするテレビジョン受信装置。
【請求項１５】
放送波を受信して、上記受信された放送波の映像信号及び音声信号をそれぞれ表示し出力するテレビジョン受信装置において、
請求項９乃至１３のうちのいずれか１つに記載の録画装置を備えたことを特徴とするテレビジョン受信装置。
【発明の詳細な説明】
【技術分野】  本発明は、放送波の放送チャンネルの変更を検出して確認する放送チャンネル変更検出装置と、それを用いた録画装置及びテレビジョン受信装置に関する。
【背景技術】  近年、例えば地上波ディジタル放送局の開局にともない、新たな放送チャンネルを追加することによる既存チャンネルのチャンネルとの重なりを防止するために、既存の放送チャンネルを変更して新たな放送チャンネルを追加することが行われている。このとき、利用者は放送チャンネルが変更された後に、再度、いわゆる「チャンネルサーチ」を実行することにより、すべての放送チャンネルを掃引して所定のしきい値以上の電界強度を有する放送波信号を検出し、検出された放送波信号の放送チャンネルを「プリセット情報」に設定している。
自動的に選局データを取得する機能を有する従来例としては、選局データを記憶するメモリと、自動的にチューナ制御部にて選局動作させ前記メモリに選局データを記憶することにより順次プリセット選局する自動選局制御部とを備え、まずメモリの初期状態を判断し、初期状態と判断されたら自動選局するように自動選局制御部に指示を出し、自動選局動作が開始されて選局データがメモリにプリセットされる自動選局装置が、例えば日本国特許出願公開平成９年３０７４０６号公報に開示されている。当該従来例に係る自動選局装置を用いることにより、利用者がプリセットの指示操作を実行することなく、選局データの再プリセットを行うことができる。
【発明の開示】
しかしながら、上述の従来例では、全くの初期状態か、あるいはメモリ内容が失われた場合のみ自動的に「チャンネルサーチ」を実行するが、すでにプリセットが完了されている状態で放送チャンネルが変更された場合には対応できない。すなわち、利用者は「チャンネルサーチ」を実行するまでは、放送チャンネルが変更されたことを認識できず、直ぐに放送チャンネルの変更があったことを認識できないため、利用者は不便である。
また、放送局は放送チャンネルを変更する予定日時情報と、変更前後のチャンネル情報とを含む「チャンネル変更予定情報」を、事前に放送波を用いて送信する場合があるが、放送局によって日時に対する誤差が発生する場合もあり得る。事前に受信される「チャンネル変更予定情報」だけでは実際の放送チャンネルの変更に追従できない場合があり、放送チャンネルによっては、放送波を実際に受信ができない場合があるという問題点があった。
さらに、放送チャンネルの変更があっても、利用者に報知することなく「プリセット情報」を更新してしまうと、「プリセット情報」を使って受信した際は、従来の操作方法で受信していた放送チャンネルと異なる放送チャンネルを受信するので、利用者がどの放送チャンネルで受信しているかが分からず、混乱が生じるという問題点があった。
本発明の第１の目的は以上の問題点を解決し、利用者が「チャンネルサーチ」などを行わなくとも放送チャンネルの変更があったことを検出し、放送局の予定しているチャンネル変更日時と実際にチャンネルが変更されるまでの誤差で生じる受信不可能な状態を「プリセット情報」に反映することを防止することができる放送チャンネル変更検出装置を提供することにある。
また、本発明の第２の目的は、上記放送チャンネルの変更を検出したとき、実際に当該放送チャンネルの放送波を受信できるか否かを確認することができる放送チャンネル変更検出装置を提供することにある。
さらに、本発明の第３の目的は、上記放送チャンネルの変更を検出したとき、もしくは、上記放送チャンネルの放送波の受信を確認したとき、その旨のメッセージを報知することができる放送チャンネル変更検出装置を提供することにある。
またさらに、本発明の第４の目的は、上記放送チャンネルの変更を検出したとき、もしくは、上記放送チャンネルの放送波の受信を確認したとき、「プリセット情報」を自動的に更新することができる放送チャンネル変更検出装置を提供することにある。
またさらに、本発明の第５の目的は、上記放送チャンネル変更検出装置を備えた録画装置及びテレビジョン受信装置を提供することにある。
第１の発明に係る放送チャンネル変更検出装置は、放送波の物理チャンネルの変更日時と変更前後の物理チャンネルとを含むチャンネル変更情報を含む放送波を受信し、上記チャンネル変更情報に基づいて、テレビジョン受信装置において変更すべき物理チャンネルに関する変更日時と変更前後の物理チャンネルとを含むチャンネル変更予定情報を検索して検出する検出手段とを備えたことを特徴とする。
第２の発明に係る放送チャンネル変更検出装置は、テレビジョン受信装置により受信される放送波の物理チャンネルを含むチャンネルプリセット情報を予め格納する第１の記憶手段と、
放送波の物理チャンネルの変更日時と変更前後の物理チャンネルとを含むチャンネル変更情報を含む放送波を受信し、上記チャンネルプリセット情報と、上記チャンネル変更情報とに基づいて、上記テレビジョン受信装置において変更すべき物理チャンネルに関する変更日時と変更前後の物理チャンネルとを含むチャンネル変更予定情報を検索して検出する検出手段とを備えたことを特徴とする。
上記放送チャンネル変更検出装置において、上記検出されたチャンネル変更予定情報に基づいて、上記チャンネル変更予定情報内の変更日時が現在日時よりも以前であるときに、上記チャンネル変更予定情報内の変更後の物理チャンネルで放送波を受信して実際に受信できるか否かを判断する判断手段をさらに備えたことを特徴とする。ここで、上記判断手段は、実際に受信できる放送波に関する変更前後の物理チャンネルをチャンネル移行リストとして第２の記憶手段に格納することを特徴とする。
また、上記放送チャンネル変更検出装置において、上記格納されたチャンネル移行リストの情報を利用者に報知する報知手段をさらに備えたことを特徴とする。とって代わって、上記放送チャンネル変更検出装置において、上記格納されたチャンネル移行リストの情報に基づいて、テレビジョン受信装置により受信される放送波の物理チャンネルを含むチャンネルプリセット情報を更新する更新手段をさらに備えたことを特徴とする。
さらに、上記放送チャンネル変更検出装置において、上記検出されたチャンネル変更予定情報を利用者に報知する報知手段をさらに備えたことを特徴とする。とって代わって、上記放送チャンネル変更検出装置において、上記検出されたチャンネル変更予定情報に基づいて、テレビジョン受信装置により受信される放送波の物理チャンネルを含むチャンネルプリセット情報を更新する更新手段をさらに備えたことを特徴とする。
第３の発明に係る録画装置は、上記放送チャンネル変更検出装置と、
放送波を受信して、受信された放送波の映像信号及び音声信号を録画する録画手段とを備えたことを特徴とする。
上記録画装置において、録画予約された録画処理を実行するときに、上記チャンネル変更予定情報に基づいて、変更後の物理チャンネルがあるか否かを判断し、上記変更後の物理チャンネルがあるときに、上記チャンネル変更予定情報内の変更後の物理チャンネルで放送波を受信して実際に受信できるか否かを判断し、実際に受信できるときに録画処理を実行する制御手段をさらに備えたことを特徴とする。ここで、上記制御手段は、実際に受信できないときに、録画処理に失敗した旨を報知することを特徴とする。
また、上記録画装置において、録画予約された録画処理を実行するときに、上記チャンネル移行リストに基づいて、変更後の物理チャンネルがあるか否かを判断し、上記変更後の物理チャンネルがあるときに、上記チャンネル移行リスト内の変更後の物理チャンネルで放送波を受信して実際に受信できるか否かを判断し、実際に受信できるときに録画処理を実行する制御手段をさらに備えたことを特徴とする。ここで、上記制御手段は、実際に受信できないときに、録画処理に失敗した旨を報知することを特徴とする。
第４の発明に係るテレビジョン受信装置は、放送波を受信して、上記受信された放送波の映像信号及び音声信号をそれぞれ表示し出力することを特徴とするテレビジョン受信装置において、上記放送チャンネル変更検出装置を備えたことを特徴とする。
第５の発明に係るテレビジョン受信装置は、放送波を受信して、上記受信された放送波の映像信号及び音声信号をそれぞれ表示し出力するテレビジョン受信装置において、上記録画装置を備えたことを特徴とする。
従って、本発明に係る放送チャンネル変更検出装置によれば、テレビジョン受信装置において変更すべき物理チャンネルに関する変更日時と変更前後の物理チャンネルとを含むチャンネル変更予定情報を検索して自動的に検出することができる。これにより、利用者が「チャンネルサーチ」などを行わなくとも放送チャンネルの変更があったことを検出し、放送局が予定しているチャンネルの変更日時と実際にチャンネルが変更されるまでの誤差で生じる受信不可能な状態を「プリセット情報」に反映することを防止することができる。
また、上記検出されたチャンネル変更予定情報に基づいて、上記チャンネル変更予定情報内の変更日時が現在日時よりも以前であるときに、上記チャンネル変更予定情報内の変更後の物理チャンネルで放送波を受信して実際に受信できるか否かを判断し、実際に受信できる放送波に関する変更前後の物理チャンネルをチャンネル移行リストとして第２の記憶手段に格納する。従って、上記放送チャンネルの変更を検出したとき、実際に当該放送チャンネルの放送波を受信できるか否かを確認することができる。
さらに、上記放送チャンネルの変更を検出したとき、もしくは、上記放送チャンネルの放送波の受信を確認したとき、その旨のメッセージを報知し、もしくは、「プリセット情報」を適切に更新することができる。
【図面の簡単な説明】  図１は、本発明の好ましい実施形態に係る放送チャンネル変更検出機能を有するテレビジョン受信装置の構成を示すブロック図である。
図２は、図１のデータメモリ３０内のチャンネルプリセット情報テーブル３１の構成の一例を示す図である。
図３は、図１のデータメモリ３０内のチャンネル変更予定情報テーブル３２の構成の一例を示す図である。
図４は、図１のデータメモリ３０内のチャンネル移行リストテーブル３５の構成の一例を示す図である。
図５は、図１のデータメモリ３０内の録画予約テーブル３６の構成の一例を示す図である。
図６は、図１の装置コントローラ２０によって実行される放送チャンネル変更検出、確認及び報知処理の第１の部分を示すフローチャートである。
図７は、図１の装置コントローラ２０によって実行される放送チャンネル変更検出、確認及び報知処理の第２の部分を示すフローチャートである。
図８は、図１の装置コントローラ２０によって実行される放送チャンネル変更検出、確認及び報知処理の第３の部分を示すフローチャートである。
図９は、図１の装置コントローラ２０によって実行される第１の録画予約実行処理を示すフローチャートである。
図１０は、図１の装置コントローラ２０によって実行される第２の録画予約実行処理を示すフローチャートである。
【発明を実施するための最良の形態】  以下、本発明に係る好ましい実施形態について、図面を参照して説明する。
図１は、本発明の好ましい実施形態に係る放送チャンネル変更検出機能を有するテレビジョン受信装置の構成を示すブロック図である。本実施形態に係るテレビジョン受信装置の装置コントローラ２０は、図６乃至図８の放送チャンネル変更検出、確認及び報知処理を実行することにより、放送波の放送チャンネルの変更を検出し、実際に当該放送チャンネルの放送波を受信できるか否かを確認し、その旨のメッセージを報知し、もしくは上記確認結果に基づいてデータメモリ３０内のチャンネルプリセット情報テーブル３１のプリセット情報を更新することを特徴としている。
図１において、放送波は、アンテナ１１Ａを介して放送波チューナ回路１１により受信され、放送波チューナ回路１１は受信された放送波の無線信号に対して低雑音増幅、周波数変換、中間周波増幅、復調などの処理を実行した後、映像信号と音声信号に分離してそれぞれ、映像信号処理回路１１及び音声信号処理回路１２に出力する。映像信号処理回路１１は、入力される映像信号に対してデスクランブルや復号化などの信号処理を実行した後、ＲＧＢプロセッサ１３及びＤＶＤレコーダ１７に出力する。また、音声信号処理回路１２は、入力される音声信号に対してデスクランブラや復号化などの処理を実行した後、増幅器１５及びＤＶＤレコーダ１７に出力する。ＲＧＢプロセッサ１３は、映像信号処理回路１１からの映像信号と映像信号発生回路１８からの映像信号とを合成して、合成後の映像信号をＲＧＢ信号に信号変換した後、例えば液晶ディスプレイなどのディスプレイ１４に出力して表示する。また、増幅器１５は、音声信号処理回路１２からの２チャンネルの音声信号と、音声信号発生回路１９からの２チャンネルの音声信号とを合成し、合成後の２チャンネルの音声信号を電力増幅してそれぞれ２個のスピーカ１６Ａ及び１６Ｂに出力する。さらに、ＤＶＤレコーダ１７は、装置コントローラ２０からの制御信号に基づいて、入力される映像信号及び音声信号を、ＤＶＤ、ＣＤ−ＲＷなどの光ディスクに格納して録画する一方、光ディスクに格納された映像信号及び音声信号を再生する。
本実施形態においては、２チャンネルの音声信号を処理しているが、本発明はこれに限らず、１チャンネル、５．１チャンネルサウンド、又は複数のチャンネルの音声信号を処理してもよい。
装置コントローラ２０は、ＤＶＤレコーダ１７を含むテレビジョン受信装置１００全体の動作を制御する。ここで、装置コントローラ２０にはクロック回路２１、キーボード２２、赤外線信号受信回路２３及びデータメモリ３０が接続され、クロック回路２１は現在日時を計時してそのデータを装置コントローラ２０に出力する。なお、クロック回路２１は、例えば放送波に含まれる現在日時情報、もしくは例えばインターネットなどの通信回線を介して受信される現在日時情報に基づいて計時している現在日時を校正してもよい。また、例えば放送波に含まれる現在日時情報をそのまま装置コントローラ２０において用いてもよい。データメモリ３０は、詳細後述するように、各種テーブル３１乃至３６と、一時的に各種のデータを待避して格納するための一時メモリ３７とを含む。また、利用者はキーボード２２を用いて入力されたデータや指示情報は装置コントローラ２０に入力される。テレビジョン受信装置の動作を遠隔制御するリモートコントローラ４０の赤外線送信部４０Ａからの遠隔制御メッセージを含む赤外線信号は、赤外線信号受信回路２３により受信され、復号化された後、その復号化データが装置コントローラ２０に入力される。
また、装置コントローラ２０は、データメモリ３０内の詳細後述する各種テーブル及びデータを参照して、図６乃至図８に図示された放送チャンネル変更検出、確認及び報知処理を実行することにより、放送波の放送チャンネルの変更を検出し、実際に当該放送チャンネルの放送波を受信できるか否かを確認し、その旨のメッセージを報知し、もしくは上記確認結果に基づいてデータメモリ３０内のチャンネルプリセット情報テーブル３１のプリセット情報を更新する。
ここで、装置コントローラ２０は、例えばチャンネル移行リスト画像表示モードが設定されているときに、データメモリ３０内のチャンネル移行リストテーブル３５のデータに関する映像信号を映像信号発生回路１８により発生してディスプレイ１４に表示する。また、図９又は図１０の録画予約実行処理において、装置コントローラ２０は、「録画予約処理の開始時に選局した放送局がなく録画予約処理を失敗しました」旨のメッセージに関する映像信号を映像信号発生回路１８により発生してディスプレイ１４に表示する。さらに、装置コントローラ２０は、チャンネル移行リスト音声出力モードが設定されているときに、データメモリ３０内のチャンネル移行リストテーブル３５のデータに関する音声信号を音声信号発生回路１９により発生してスピーカ１６Ａ及び１６Ｂから出力する。またさらに、装置コントローラ２０は、チャンネル移行リストに基づくプリセット自動変更モードが設定されているときに、データメモリ３０内のチャンネル移行リストテーブル３５のデータに基づいてチャンネルプリセット情報テーブル３１のプリセット情報を自動的に更新する。
図２は、図１のデータメモリ３０内のチャンネルプリセット情報テーブル３１の構成の一例を示す図である。図２から明らかなように、チャンネルプリセット情報テーブル３１は、例えばキーボード２２を用いて予め入力された、いわゆる「プリセット情報」を格納するものであり、リモートコントローラ４０に設けられた選局用のキー番号（ポジション番号ともいう。）毎に、ディスプレイ１４の画面に表示されるチャンネル番号である表示チャンネルと、実際に放送波を受信するための放送波周波数に対応する物理チャンネルとを格納する。
本実施形態においては、既存の放送チャンネルを所定の放送チャンネルに変更するときの変更予定日時及び変更前後の放送チャンネルの情報などを含む「チャンネル変更情報」とその詳細情報である「チャンネル変更詳細情報」を、所定の放送波を受信してそのデータ放送内のデータ部分から抽出して、本実施形態に係る放送チャンネルの変更の検出、確認及び報知の処理を実行する。日本国では、具体的には、例えば、ＳＤＴＴ（Ｓｏｆｔｗａｒｅ  Ｄｏｗｎｌｏａｄ  Ｔｒｉｇｇｅｒ  Ｔａｂｌｅ）とその詳細情報サービスである「エンジニアリングサービス」で提供される詳細情報から、「チャンネル変更情報」と「チャンネル変更詳細情報」を得ることができる。ここで、ＳＤＴＴは、ソフトウェアに関する差分データのスケジュール情報を送出するテーブルであって、「チャンネル周波数変更情報」の受信をトリガとして「周波数変更詳細情報」の取得処理に移行する。ＳＤＴＴには、対応可能な必要最低限の情報（対象地域、変更開始年月日、変更作業期間など）を送出している。また、エンジニアリングサービスは、さらに詳細な情報（変更前後のチャンネルリスト、変更日など）を送出している。エンジニアリングサービスの詳細情報としては、例えば以下の情報などを含む。
（１）地域識別：サービスエリアを示す地域識別値である。
（２）ネットワークループ数：当該サービスエリアをサービスエリアとする放送数であり、運営中の数に加え新規開局予定の数も含む。
（３）ネットワーク識別：当該地上波デジタルテレビジョン放送のネットワーク識別である。
（４）トランスポートストリーム識別：当該地上デジタルテレビジョン放送のトランスポートストリーム識別である。
（５）バージョン番号：当該ネットワークの周波数情報のバージョンを示す。
（６）スケジュール数：周波数変更や新規置局などのスケジュール数を記載している。変化が無い場合はここに０を記載する。
（７）開始年月日：変更作業の開始日を示す。
（８）継続期間：変更にかかる期間を日数表示する、
（９）変更詳細情報数：当該ネットワークで前述の期間で運用に関し変更がある送信所の数を記載する。
（１０）送信所識別：変更する送信所識別を記載し、全国でユニークな値が割り振られる。
（１１）変更年月日：具体的な作業日を開始日との差分値で記載する。ただし、実際の作業実施日は記載された実施日と多少前後することを受信機は考慮する必要がある。変更日は、試験電波の送出日ではなく工事の落成日であり、変更日以降は、安定して電波を送出し続けることを原則とする。
（１２）変更時刻：変更時刻を時間単位で記載する。ただし、実際の変更時刻は記載された変更時刻と多少前後することを受信機は考慮する必要がある。
（１３）サイマル運用期間：サイマル運用で旧周波数でも一定期間送出運用される場合、その期間を日数で記載する。なお、サイマル運用期間は、変更日以降のサイマル期間を記載する。
（１４）変更前物理チャンネル番号：変更前の物理チャンネル番号を記載する。なお、新規置局の場合は０を記載する。
（１５）変更後物理チャンネル番号：変更後の物理チャンネル番号を記載する。なお、経営統合などで放送を終了する場合は０を記載する。
図３は、図１のデータメモリ３０内のチャンネル変更予定情報テーブル３２の構成の一例を示す図である。図３のチャンネル変更予定情報テーブル３２は、本実施形態に係るテレビジョン受信装置において、当該サービスエリア内での変更予定情報を抽出した情報テーブルであって、格納アドレス毎に、１つの放送波の変更日時、及び変更前後の物理チャンネルを格納する。なお、「変更日時」が、当該情報の抽出時に経過済みであるときは「経過済み」と記載する。
また、図１のデータメモリ３０内のチャンネル変更情報テーブル３３は、所定の放送波を受信して抽出された「チャンネル変更情報」を格納し、図１のデータメモリ３０内のチャンネル変更詳細情報テーブル３４は、上記放送波を受信して抽出された「チャンネル変更詳細情報」を格納する。
図４は、図１のデータメモリ３０内のチャンネル移行リストテーブル３５の構成の一例を示す図である。図４のチャンネル移行リストテーブル３５は、当該テレビジョン受信装置においてチャンネルを移行すべきリストを格納し、具体的には、格納アドレス毎に、変更前後の物理チャンネルを格納する。
図５は、図１のデータメモリ３０内の録画予約テーブル３６の構成の一例を示す図である。図５の録画予約テーブル３６は、ＤＶＤレコーダ１７を用いて録画予約すべきリストを格納し、具体的には、予約番号毎に、録画予約の開始日時、終了日時、及びキー番号（チャンネルプリセット情報テーブル３１を参照することにより、対応する物理チャンネルを特定できる。）を格納する。
図６乃至図８は、図１の装置コントローラ２０によって実行される放送チャンネル変更検出、確認及び報知処理を示すフローチャートである。当該放送チャンネル変更検出、確認及び報知処理は、以下の３つの部分処理から構成される。
（１）図６のステップＳ１乃至Ｓ１２までの「放送チャンネルの変更検出処理」：「チャンネル変更情報」及び「チャンネル変更詳細情報」に基づいて当該サービスエリアにおいて放送チャンネルの変更が予定されている、もしくは変更済みの放送チャンネルに関する変更日時及び変更前後の物理チャンネルを含むチャンネル変更予定情報テーブル３２を作成する処理である。。
（２）図７のステップＳ２１乃至Ｓ２８までの「放送チャンネルの確認処理」：作成されたチャンネル変更予定情報テーブル３２に基づいて、放送チャンネルが変更された放送波を実際に受信できるか否かを確認し、その結果としてチャンネル移行リストテーブル３５を作成する処理である。
（３）図８のステップＳ３１乃至Ｓ３７までの「放送チャンネルの報知処理」：作成されたチャンネル移行リストテーブル３５のデータのメッセージを画像又は音声合成により報知し、もしくは、チャンネル移行リストテーブル３５のデータに基づいてチャンネルプリセット情報テーブル３１を更新する処理である。
図６のステップＳ１において、まず、放送波チューナ回路１０を制御して「チャンネル変更情報」を放送している放送波を選局し、ステップＳ２において「チャンネル変更情報」を受信してチャンネル変更情報テーブル３３に格納する。次いで、ステップＳ３において、上記受信された「チャンネル変更情報」のバージョンは、以前に受信されてチャンネル変更情報テーブル３３に格納されたチャンネル変更情報のバージョンよりも新しいか否かが判断され、ＹＥＳのときはステップＳ４に進む一方、ＮＯのときは図７のステップＳ２１に進む。ステップＳ４では、放送波チューナ回路１０を制御してチャンネル変更詳細情報を放送している放送波を選局し、ステップＳ５において、利用者のサービスエリア内の「チャンネル変更詳細情報」を受信してチャンネル変更詳細情報テーブル３４に格納してステップＳ６に進む。
ステップＳ６では、チャンネル変更詳細情報テーブル３４に格納された「チャンネル変更詳細情報」のうちの未処理の１つのデータを選択し、ステップＳ７において、選択されたデータに関する変更予定日時は現在日時よりも以前であるか否かが判断され、ＹＥＳのときはステップＳ８に進む一方、ＮＯのときはステップＳ１１に進む。次いで、ステップＳ８において、変更後の物理チャンネルがチャンネルプリセット情報テーブル３１に格納されているか否かが判断され、ＹＥＳのときはステップＳ９に進む一方、ＮＯのときはステップＳ１０に進む。ステップＳ９では、すでにチャンネルプリセット情報テーブル３１において物理チャンネルが変更済みであるので、選択されたデータをチャンネル変更詳細情報テーブル３４から削除してステップＳ１２に進む。また、ステップＳ１０では、チャンネルプリセット情報テーブル３１において物理チャンネルが未変更であるので、選択された変更すべきデータに関する変更前後の物理チャンネルを、変更日時を「経過済み」としてチャンネル変更予定情報テーブル３２に格納し、ステップＳ１２に進む。さらに、ステップＳ１１では、チャンネルプリセット情報テーブル３１において物理チャンネルが未変更であるので、選択された変更すべきデータに関する変更前後の物理チャンネルを、変更日時とともにチャンネル変更情報テーブル３２に格納し、ステップＳ１２に進む。ステップＳ１２において、チャンネル変更詳細情報テーブル３４に格納された「チャンネル詳細変更情報」のうちのすべてのデータを処理したか否かが判断され、ＹＥＳのときは図７のステップＳ２１に進む一方、ＮＯのときはステップＳ６に戻り、上述のステップＳ６乃至Ｓ１２までの処理を繰り返す。
図７のステップＳ２１において、チャンネル移行リストテーブル３５内のデータをすべて削除し、ステップＳ２２において、チャンネル変更予定情報テーブル３２に格納された「チャンネル変更予定情報」のうちの未処理の１つのデータを選択し、ステップＳ２３において、選択されたデータの変更日時は「経過済み」であるか又は現在日時よりも以前か否かが判断され、ＹＥＳのときはステップＳ２４に進む一方、ＮＯのときは図８のステップＳ３１に進む。ステップＳ２４では、選択されたデータの物理チャンネルで放送波を受信し、ステップＳ２５において放送波を受信できたか否かが判断され、ＹＥＳのときはステップＳ２６に進む一方、ＮＯのときはステップＳ２７に進む。ステップＳ２６では、選択されたデータの放送波は変更後の物理チャンネルに移行していると判断して変更前後の物理チャンネルをチャンネル移行リストテーブル３５に格納し、ステップＳ２８に進む。一方、ステップＳ２７では、選択されたデータの放送波は変更後の物理チャンネルに移行していないと判断して当該選択されたデータをチャンネル移行リストテーブル３５に格納せず、ステップＳ２８に進む。ステップＳ２８において、チャンネル変更予定情報テーブル３２に格納されたチャンネル変更予定情報のうちのすべてのデータについて処理したか否かが判断され、ＹＥＳのときは図８のステップＳ３１に進む一方、ＮＯのときはステップＳ２２に戻り、上述のステップＳ２２乃至Ｓ２８までの処理を繰り返す。
図８のステップＳ３１において、チャンネル移行リストテーブル３５にデータがあるか否かが判断され、ＹＥＳのときはステップＳ３２に進む一方、ＮＯのときは当該処理を終了する。次いで、ステップＳ３２においてチャンネル移行リスト画像表示モードか否かが判断され、ＹＥＳのときはステップＳ３３に進む一方、ＮＯのときはステップＳ３４に進む。また、ステップＳ３３では、チャンネル移行リストテーブル３５内のデータのメッセージを含む映像信号を映像信号発生回路１８により発生してディスプレイ１４に表示し、当該処理を終了する。そして、ステップＳ３４において、チャンネル移行リスト音声出力モードか否かが判断され、ＹＥＳのときはステップＳ３５に進む一方、ＮＯのときはステップＳ３６に進む。さらに、ステップＳ３５では、チャンネル移行リストテーブル３５内のデータのメッセージの音声を含む音声信号を音声信号発生回路１９により音声合成により発生してスピーカ１６Ａ及び１６Ｂから出力し、当該処理を終了する。ステップＳ３６では、チャンネル移行リストに基づくプリセット自動変更モードか否かが判断され、ＹＥＳのときはステップＳ３７に進む一方、ＮＯのときは当該処理を終了する。ステップＳ３７において、チャンネル移行リストテーブル３５内のデータに基づいてチャンネルプリセット情報テーブル３１を更新し、当該処理を終了する。
図９は、図１の装置コントローラ２０によって実行される第１の録画予約実行処理を示すフローチャートである。当該第１の録画予約実行処理は、少なくとも図６の「放送チャンネルの変更検出処理」が終了しているときに、ＤＶＤレコーダ１７を用いて録画予約して録画を実行するときに、「放送チャンネルの確認処理」を実行する処理である。
図９のステップＳ４１において、まず、録画予約テーブル３６の開始日時と、クロック回路２１からの現在日時とを比較することにより、録画予約開始日時を経過したか否かが判断され、ＹＥＳとなるまでステップＳ４１の処理を実行し、ＹＥＳとなったとき、ステップＳ４２に進む。ステップＳ４２において、チャンネルプリセット情報テーブル３１を参照して録画予約テーブル３６内のキー番号に対応する物理チャンネルを検索し、ステップＳ４３において放送波チューナ回路１０を制御して検索した物理チャンネルで選局する。次いで、ステップＳ４４において選局に成功したか否かが判断され、ＹＥＳのときはステップＳ４５に進む一方、ＮＯのときはステップＳ４６に進む。ステップＳ４５では、録画処理を実行して終了日時で終了し、当該処理を終了する。
ステップＳ４６では、チャンネル変更予定情報テーブル３２を参照して上記検索した物理チャンネルから変更後の物理チャンネルを検索し、ステップＳ４７において変更後の物理チャンネルがあるか否かが判断され、ＹＥＳのときはステップＳ４８に進む一方、ＮＯのときはステップＳ５１に進む。そして、ステップＳ４８では、上記検索した変更後の物理チャンネルで放送波チューナ回路１０を制御して選局し、ステップＳ４９において選局に成功したか否かが判断され、ＹＥＳのときはステップＳ５０に進む一方、ＮＯのときはステップＳ５１に進む。ステップＳ５０において録画処理を実行して終了日時で終了して、当該処理を終了する。さらに、ステップＳ５１では、「録画予約処理の開始時に選局した放送局がなく録画予約処理を失敗しました」旨のメッセージに関する映像信号を映像信号発生回路１８により発生してディスプレイ１４に表示し、当該処理を終了する。
以上説明したように、図９の第１の録画予約実行処理においては、チャンネルプリセット情報テーブル３１に記載された物理チャンネルで選局に失敗したときにおいて、チャンネル変更予定情報テーブル３２において変更後の物理チャンネルがあるとき、当該物理チャンネルの選局を行って実際に放送波が送信されているか否かの確認を行った後、選局に成功すれば指定された録画処理を実行するが、選局に失敗したときは失敗した旨のメッセージを表示する。従って、利用者が個々にチャンネル変更予定情報テーブル３２を参照して放送波の変更有無、及び実際の送信の有無を確認する手間を省くことができ、大幅に操作性を改善できる。
図１０は、図１の装置コントローラ２０によって実行される第２の録画予約実行処理を示すフローチャートである。当該第２の録画予約実行処理は、少なくとも図７の「放送チャンネルの確認処理」が終了しているときに、ＤＶＤレコーダ１７を用いて録画予約して録画を実行するときに、「放送チャンネルの確認処理」を実行する処理である。
図１０のステップＳ６１において、まず、録画予約テーブル３６の開始日時と、クロック回路２１からの現在日時とを比較することにより、録画予約開始日時を経過したか否かが判断され、ＹＥＳとなるまでステップＳ６１の処理を繰り返し、ＹＥＳとなったとき、ステップＳ６２において、チャンネルプリセット情報テーブル３１を参照して録画予約テーブル３６内のキー番号に対応する物理チャンネルを検索し、ステップＳ６３において、チャンネル移行リストテーブル３５を参照して上記検索した物理チャンネルから変更後の物理チャンネルを検索する。次いで、ステップＳ６４において、変更後の物理チャンネルがあるか否かが判断され、ＹＥＳのときはステップＳ６５に進む一方、ＮＯのときはステップＳ６８に進む。ステップＳ６５では、上記検索した変更後の物理チャンネルで放送波チューナ回路１０を制御して選局し、ステップＳ６６において選局に成功したか否かが判断され、ＹＥＳのときはステップＳ６７に進む一方、ＮＯのときはステップＳ６８に進む。ステップＳ６７では、録画処理を実行して終了日時で終了して当該処理を終了する。また、ステップＳ６８では、「録画予約処理の開始時に選局した放送局がなく録画予約処理を失敗しました」旨のメッセージに関する映像信号を映像信号発生回路１８により発生してディスプレイ１４に表示して当該処理を終了する。
以上説明したように、図１０の第２の録画予約実行処理においては、チャンネル移行リストテーブル３５において変更後の物理チャンネルがあるとき、当該物理チャンネルの選局を行って実際に放送波が送信されているか否かの確認を行った後、選局に成功すれば指定された録画処理を実行するが、選局に失敗したときは失敗した旨のメッセージを表示する。従って、利用者が個々にチャンネル移行リストテーブル３５を参照して放送波の変更有無、及び実際の送信の有無を確認する手間を省くことができ、大幅に操作性を改善できる。
図６の放送チャンネルの変更検出処理においては、受信された「チャンネル変更情報」と「チャンネルプリセット情報」とに基づいて、チャンネル変更予定情報テーブル３２を生成しているが、本発明はこれに限らず、例えば、ステップＳ８の処理を実行せず、受信された「チャンネル変更情報」に基づいて、チャンネル変更予定情報テーブル３２を生成してもよい。
図８のステップＳ３３及びＳ３５において、チャンネル移行リストテーブル３５内のデータのメッセージを表示又は音声出力しているが、本発明はこれに限らず、他の報知方法により当該メッセージを報知してもよい。また、チャンネル移行リストテーブル３５内のデータのメッセージを表示又は音声出力する報知処理と、ステップＳ３７のチャンネルプリセット情報テーブル３１の更新処理とをともに実行してもよい。
図８の放送チャンネルの報知処理においては、チャンネル移行リストテーブル３５に基づいて、そのデータの表示、音声出力、及びチャンネルプリセット情報テーブル３１の更新を実行しているが、本発明はこれに限らず、チャンネル変更予定情報テーブル３２に基づいて、そのデータの表示、音声出力、及びチャンネルプリセット情報テーブル３１の更新を実行してもよい。
以上の実施形態においては、テレビジョン受信装置においてＤＶＤレコーダ１７を備えているが、ＤＶＤレコーダ１７に代えて、ビデオテープレコーダなどの録画装置を備えてもよい。
以上の実施形態においては、チャンネル変更検出、確認及び報知機能を有するテレビジョン受信装置においてＤＶＤレコーダ１７を備えているが、チャンネル変更検出、確認及び報知機能を有するＤＶＤレコーダ１７などの録画装置を構成してもよい。
以上説明したように、本実施形態によれば、テレビジョン受信装置において変更すべき物理チャンネルに関する変更日時と変更前後の物理チャンネルとを含むチャンネル変更予定情報を検索して自動的に検出することができる。これにより、利用者が「チャンネルサーチ」などを行わなくとも放送チャンネルの変更があったことを検出し、放送局が予定しているチャンネルの変更日時と実際にチャンネルが変更されるまでの誤差で生じる受信不可能な状態を「プリセット情報」に反映することを防止することができる。
また、上記検出されたチャンネル変更予定情報に基づいて、上記チャンネル変更予定情報内の変更日時が現在日時よりも以前であるときに、上記チャンネル変更予定情報内の変更後の物理チャンネルで放送波を受信して実際に受信できるか否かを判断し、実際に受信できる放送波に関する変更前後の物理チャンネルをチャンネル移行リストとして第２の記憶手段に格納する。従って、上記放送チャンネルの変更を検出したとき、実際に当該放送チャンネルの放送波を受信できるか否かを確認することができる。
さらに、上記放送チャンネルの変更を検出したとき、もしくは、上記放送チャンネルの放送波の受信を確認したとき、その旨のメッセージを報知し、もしくは、「プリセット情報」を適切に更新することができる。
またさらに、利用者はチャンネルサーチをしなくても直ぐにチャンネルの変更があったことを認識でき、また、放送局はチャンネルを変更する予定日時情報とチャンネル情報を事前に送信する場合に、放送局によって日時に対する誤差が発生する場合に対しても、本実施形態に係る装置によって、事前に受信する変更情報と前記日時にチャンネルを受信することで、実際のチャンネル変更に追従できる報知を行うことができる。
またさらに、放送チャンネルの変更があった場合、本実施形態に係る装置が利用者に報知を行うことでポジション情報を更新するタイミングを報知できることができ、利用者はポジションのチャンネルの変更を行えるために、古いチャンネル情報で受信してしまうことを回避することが可能になる。
さらに、本実施形態から変形された種々の変形例について以下に説明する。
第１の変形例．
第１の変形例では、第１の録画予約実行処理の実行タイミングに対応するタイミングにおいて実行される処理であり、録画予約又は録画予約の実行のときに実行する。
（１）チャンネル変更予定情報テーブル３２のデータにより、変更前でも予め変更予定情報が分かっているので、その警告メッセージを予約設定時に利用者に表示又は音声出力して報知し、周波数変更が発生する可能性があるため設定しょうとしている予約が実行時に失敗する可能性があることを報知してもよい。もしくは、チャンネル変更予定情報テーブル３２のデータ全体を報知してもよい。
（２）チャンネル変更予定情報テーブル３２のデータにより、変更前でも予め変更予定情報が分かっているので、その警告メッセージ表示し又は音声出力して報知した後、Ｙｅｓ／Ｎｏを入力できる操作画面を表示し、ここで、「この録画予約は実行時周波数が変更されている可能性があります。録画予約の実行は変更予定のチャンネルで選局を行いますか？」等のメッセージを表示して、利用者の意思をＹｅｓ／Ｎｏの操作画面で意思表示をさせた後、Ｙｅｓの場合、今回設定した録画予約は変更後のチャンネルで選局する一方、Ｎｏの場合は、録画予約設定時のチャンネルで選局する。
第２の変形例．
第２の変形例では、第２の録画予約実行処理の実行タイミングに対応するタイミングにおいて実行される処理であり、録画予約又は録画予約の実行のときに実行する。
（１）チャンネル移行リストテーブル３５のデータにより、変更前でも予め変更予定情報が分かっているので、その警告メッセージを予約設定時に利用者に表示又は音声出力して報知し、周波数変更が発生する可能性があるため設定しょうとしている予約が実行時に失敗する可能性があることを報知してもよい。もしくは、チャンネル変更予定情報テーブル３２のデータ全体を報知してもよい。
（２）チャンネル移行リストテーブル３５のデータにより、変更前でも予め変更予定情報が分かっているので、その警告メッセージ表示し又は音声出力して報知した後、Ｙｅｓ／Ｎｏを入力できる操作画面を表示し、ここで、「この録画予約は実行時周波数が変更されている可能性があります。録画予約の実行は変更予定のチャンネルで選局を行いますか？」等のメッセージを表示して、利用者の意思をＹｅｓ／Ｎｏの操作画面で意思表示をさせた後、Ｙｅｓの場合、今回設定した録画予約は変更後のチャンネルで選局する一方、Ｎｏの場合は、録画予約設定時のチャンネルで選局する。
第３の変形例．
利用者がテレビジョン受信装置の通常使用時の選局操作において、以下の処理を実行してもよい。
（１）利用者がチャンネル設定や通常選局したとき、変更前の周波数で選局して選局できなかったときに、チャンネル変更予定情報テーブル３２又はチャンネル移行リストテーブル３５に基づいて、変更後の物理チャンネルを用いて自動的に選局し直すように制御する。その特有の効果としては、放送チャンネルは夜中には停波している可能性があり、ＳＤＴＴなどのチャンネル変更情報の取得後のチャンネルサーチのタイミングがこの時間帯と一致すれば、チャンネル変更があった場合でも正しく受信できなくなり、チャンネル変更があったかどうか判断できない場合が予想され、当該方法により利用者にとって適時対応できるタイミングを増やすことができる。
（２）利用者がチャンネル設定や通常選局したとき、変更前のチャンネルで選局して選局できなかったときに、Ｙｅｓ／Ｎｏの操作画面を表示してＹｅｓを入力すれば、チャンネル変更予定情報テーブル３２又はチャンネル移行リストテーブル３５の情報データに基づいて自動的に選局し直すように制御し、さらにはチャンネルプリセット情報テーブル３１内のデータの更新も実行してもよい。これにより、利用者がチャンネル設定や通常選局時において、正しく受信できる機会を増大させ、かつチャンネルプリセット情報テーブル３１内のデータを最新の状態に更新できる。
産業上の利用の可能性
以上詳述したように、本発明に係る放送チャンネル変更検出装置によれば、テレビジョン受信装置において変更すべき物理チャンネルに関する変更日時と変更前後の物理チャンネルとを含むチャンネル変更予定情報を検索して自動的に検出することができる。これにより、利用者が「チャンネルサーチ」などを行わなくとも放送チャンネルの変更があったことを検出し、放送局が予定しているチャンネルの変更日時と実際にチャンネルが変更されるまでの誤差で生じる受信不可能な状態を「プリセット情報」に反映することを防止することができる。
また、上記検出されたチャンネル変更予定情報に基づいて、上記チャンネル変更予定情報内の変更日時が現在日時よりも以前であるときに、上記チャンネル変更予定情報内の変更後の物理チャンネルで放送波を受信して実際に受信できるか否かを判断し、実際に受信できる放送波に関する変更前後の物理チャンネルをチャンネル移行リストとして第２の記憶手段に格納する。従って、上記放送チャンネルの変更を検出したとき、実際に当該放送チャンネルの放送波を受信できるか否かを確認することができる。
さらに、上記放送チャンネルの変更を検出したとき、もしくは、上記放送チャンネルの放送波の受信を確認したとき、その旨のメッセージを報知し、もしくは、「プリセット情報」を適切に更新することができる。
【図１】
2005011265.tif 000003
【図２】
2005011265.tif 000004
【図３】
2005011265.tif 000005
【図４】
2005011265.tif 000006
【図５】
2005011265.tif 000007
【図６】
2005011265.tif 000008
【図７】
2005011265.tif 000009
【図８】
2005011265.tif 000010
【図９】
2005011265.tif 000011
【図１０】
2005011265.tif 000012
【手続補正書】
【提出日】平成18年2月7日(2006.2.7)
【手続補正１】
【補正対象書類名】特許請求の範囲
【補正対象項目名】全文
【補正方法】変更
【補正の内容】
【特許請求の範囲】
【請求項１】
放送波の物理チャンネルの変更日時と変更前後の物理チャンネルとを含むチャンネル変更情報を含む放送波を受信し、上記チャンネル変更情報に基づいて、テレビジョン受信装置において変更すべき物理チャンネルに関する変更日時と変更前後の物理チャンネルとを含むチャンネル変更予定情報を検索して検出する検出手段を備えたことを特徴とする放送チャンネル変更検出装置。
【請求項２】
テレビジョン受信装置により受信される放送波の物理チャンネルを含むチャンネルプリセット情報を予め格納する第１の記憶手段と、
放送波の物理チャンネルの変更日時と変更前後の物理チャンネルとを含むチャンネル変更情報を含む放送波を受信し、上記チャンネルプリセット情報と、上記チャンネル変更情報とに基づいて、上記テレビジョン受信装置において変更すべき物理チャンネルに関する変更日時と変更前後の物理チャンネルとを含むチャンネル変更予定情報を検索して検出する検出手段とを備えたことを特徴とする放送チャンネル変更検出装置。
【請求項３】
上記検出されたチャンネル変更予定情報に基づいて、上記チャンネル変更予定情報内の変更日時が現在日時よりも以前であるときに、上記チャンネル変更予定情報内の変更後の物理チャンネルで放送波を受信して実際に受信できるか否かを判断する判断手段をさらに備えたことを特徴とする請求項１又は２記載の放送チャンネル変更検出装置。
【請求項４】
上記判断手段は、実際に受信できる放送波に関する変更前後の物理チャンネルをチャンネル移行リストとして第２の記憶手段に格納することを特徴とする請求項３記載の放送チャンネル変更検出装置。
【請求項５】
上記格納されたチャンネル移行リストの情報を利用者に報知する報知手段をさらに備えたことを特徴とする請求項４記載の放送チャンネル変更検出装置。
【請求項６】
上記格納されたチャンネル移行リストの情報に基づいて、テレビジョン受信装置により受信される放送波の物理チャンネルを含むチャンネルプリセット情報を更新する更新手段をさらに備えたことを特徴とする請求項４又は５記載の放送チャンネル変更検出装置。
【請求項７】
上記検出されたチャンネル変更予定情報を利用者に報知する報知手段をさらに備えたことを特徴とする請求項１又は２記載の放送チャンネル変更検出装置。
【請求項８】
上記検出されたチャンネル変更予定情報に基づいて、テレビジョン受信装置により受信される放送波の物理チャンネルを含むチャンネルプリセット情報を更新する更新手段をさらに備えたことを特徴とする請求項１、２又は７記載の放送チャンネル変更検出装置。
【請求項９】
請求項１乃至８のうちのいずれか１つに記載の放送チャンネル変更検出装置と、
放送波を受信して、受信された放送波の映像信号及び音声信号を録画する録画手段とを備えたことを特徴とする録画装置。
【請求項１０】
録画予約された録画処理を実行するときに、上記チャンネル変更予定情報に基づいて、変更後の物理チャンネルがあるか否かを判断し、上記変更後の物理チャンネルがあるときに、上記チャンネル変更予定情報内の変更後の物理チャンネルで放送波を受信して実際に受信できるか否かを判断し、実際に受信できるときに録画処理を実行する制御手段をさらに備えたことを特徴とする請求項９記載の録画装置。
【請求項１１】
上記制御手段は、実際に受信できないときに、録画処理に失敗した旨を報知することを特徴とする請求項１０記載の録画装置。
【請求項１２】
録画予約された録画処理を実行するときに、上記チャンネル移行リストに基づいて、変更後の物理チャンネルがあるか否かを判断し、上記変更後の物理チャンネルがあるときに、上記チャンネル移行リスト内の変更後の物理チャンネルで放送波を受信して実際に受信できるか否かを判断し、実際に受信できるときに録画処理を実行する制御手段をさらに備えたことを特徴とする請求項９記載の録画装置。
【請求項１３】
上記制御手段は、実際に受信できないときに、録画処理に失敗した旨を報知することを特徴とする請求項１２記載の録画装置。
【請求項１４】
放送波を受信して、上記受信された放送波の映像信号及び音声信号をそれぞれ表示し出力することを特徴とするテレビジョン受信装置において、
請求項１乃至８のうちのいずれか１つに記載の放送チャンネル変更検出装置を備えたことを特徴とするテレビジョン受信装置。
【請求項１５】
放送波を受信して、上記受信された放送波の映像信号及び音声信号をそれぞれ表示し出力するテレビジョン受信装置において、
請求項９乃至１３のうちのいずれか１つに記載の録画装置を備えたことを特徴とするテレビジョン受信装置。
【手続補正２】
【補正対象書類名】明細書
【補正対象項目名】全文
【補正方法】変更
【補正の内容】
【発明の詳細な説明】
【技術分野】
【０００１】
本発明は、放送波の放送チャンネルの変更を検出して確認する放送チャンネル変更検出装置と、それを用いた録画装置及びテレビジョン受信装置に関する。
【背景技術】
【０００２】
近年、例えば地上波ディジタル放送局の開局にともない、新たな放送チャンネルを追加することによる既存チャンネルのチャンネルとの重なりを防止するために、既存の放送チャンネルを変更して新たな放送チャンネルを追加することが行われている。このとき、利用者は放送チャンネルが変更された後に、再度、いわゆる「チャンネルサーチ」を実行することにより、すべての放送チャンネルを掃引して所定のしきい値以上の電界強度を有する放送波信号を検出し、検出された放送波信号の放送チャンネルを「プリセット情報」に設定している。
【０００３】
自動的に選局データを取得する機能を有する従来例としては、選局データを記憶するメモリと、自動的にチューナ制御部にて選局動作させ前記メモリに選局データを記憶することにより順次プリセット選局する自動選局制御部とを備え、まずメモリの初期状態を判断し、初期状態と判断されたら自動選局するように自動選局制御部に指示を出し、自動選局動作が開始されて選局データがメモリにプリセットされる自動選局装置が、例えば特許文献１に開示されている。当該従来例に係る自動選局装置を用いることにより、利用者がプリセットの指示操作を実行することなく、選局データの再プリセットを行うことができる。
【０００４】
【特許文献１】特開平９−３０７４０６号公報。
【発明の開示】
【発明が解決しようとする課題】
【０００５】
しかしながら、上述の従来例では、全くの初期状態か、あるいはメモリ内容が失われた場合のみ自動的に「チャンネルサーチ」を実行するが、すでにプリセットが完了されている状態で放送チャンネルが変更された場合には対応できない。すなわち、利用者は「チャンネルサーチ」を実行するまでは、放送チャンネルが変更されたことを認識できず、直ぐに放送チャンネルの変更があったことを認識できないため、利用者は不便である。
【０００６】
また、放送局は放送チャンネルを変更する予定日時情報と、変更前後のチャンネル情報とを含む「チャンネル変更予定情報」を、事前に放送波を用いて送信する場合があるが、放送局によって日時に対する誤差が発生する場合もあり得る。事前に受信される「チャンネル変更予定情報」だけでは実際の放送チャンネルの変更に追従できない場合があり、放送チャンネルによっては、放送波を実際に受信ができない場合があるという問題点があった。
【０００７】
さらに、放送チャンネルの変更があっても、利用者に報知することなく「プリセット情報」を更新してしまうと、「プリセット情報」を使って受信した際は、従来の操作方法で受信していた放送チャンネルと異なる放送チャンネルを受信するので、利用者がどの放送チャンネルで受信しているかが分からず、混乱が生じるという問題点があった。
【０００８】
本発明の第１の目的は以上の問題点を解決し、利用者が「チャンネルサーチ」などを行わなくとも放送チャンネルの変更があったことを検出し、放送局の予定しているチャンネル変更日時と実際にチャンネルが変更されるまでの誤差で生じる受信不可能な状態を「プリセット情報」に反映することを防止することができる放送チャンネル変更検出装置を提供することにある。
【０００９】
また、本発明の第２の目的は、上記放送チャンネルの変更を検出したとき、実際に当該放送チャンネルの放送波を受信できるか否かを確認することができる放送チャンネル変更検出装置を提供することにある。
【００１０】
さらに、本発明の第３の目的は、上記放送チャンネルの変更を検出したとき、もしくは、上記放送チャンネルの放送波の受信を確認したとき、その旨のメッセージを報知することができる放送チャンネル変更検出装置を提供することにある。
【００１１】
またさらに、本発明の第４の目的は、上記放送チャンネルの変更を検出したとき、もしくは、上記放送チャンネルの放送波の受信を確認したとき、「プリセット情報」を自動的に更新することができる放送チャンネル変更検出装置を提供することにある。
【００１２】
またさらに、本発明の第５の目的は、上記放送チャンネル変更検出装置を備えた録画装置及びテレビジョン受信装置を提供することにある。
【課題を解決するための手段】
【００１３】
第１の発明に係る放送チャンネル変更検出装置は、放送波の物理チャンネルの変更日時と変更前後の物理チャンネルとを含むチャンネル変更情報を含む放送波を受信し、上記チャンネル変更情報に基づいて、テレビジョン受信装置において変更すべき物理チャンネルに関する変更日時と変更前後の物理チャンネルとを含むチャンネル変更予定情報を検索して検出する検出手段とを備えたことを特徴とする。
【００１４】
第２の発明に係る放送チャンネル変更検出装置は、テレビジョン受信装置により受信される放送波の物理チャンネルを含むチャンネルプリセット情報を予め格納する第１の記憶手段と、
放送波の物理チャンネルの変更日時と変更前後の物理チャンネルとを含むチャンネル変更情報を含む放送波を受信し、上記チャンネルプリセット情報と、上記チャンネル変更情報とに基づいて、上記テレビジョン受信装置において変更すべき物理チャンネルに関する変更日時と変更前後の物理チャンネルとを含むチャンネル変更予定情報を検索して検出する検出手段とを備えたことを特徴とする。
【００１５】
上記放送チャンネル変更検出装置において、上記検出されたチャンネル変更予定情報に基づいて、上記チャンネル変更予定情報内の変更日時が現在日時よりも以前であるときに、上記チャンネル変更予定情報内の変更後の物理チャンネルで放送波を受信して実際に受信できるか否かを判断する判断手段をさらに備えたことを特徴とする。ここで、上記判断手段は、実際に受信できる放送波に関する変更前後の物理チャンネルをチャンネル移行リストとして第２の記憶手段に格納することを特徴とする。
【００１６】
また、上記放送チャンネル変更検出装置において、上記格納されたチャンネル移行リストの情報を利用者に報知する報知手段をさらに備えたことを特徴とする。とって代わって、上記放送チャンネル変更検出装置において、上記格納されたチャンネル移行リストの情報に基づいて、テレビジョン受信装置により受信される放送波の物理チャンネルを含むチャンネルプリセット情報を更新する更新手段をさらに備えたことを特徴とする。
【００１７】
さらに、上記放送チャンネル変更検出装置において、上記検出されたチャンネル変更予定情報を利用者に報知する報知手段をさらに備えたことを特徴とする。とって代わって、上記放送チャンネル変更検出装置において、上記検出されたチャンネル変更予定情報に基づいて、テレビジョン受信装置により受信される放送波の物理チャンネルを含むチャンネルプリセット情報を更新する更新手段をさらに備えたことを特徴とする。
【００１８】
第３の発明に係る録画装置は、上記放送チャンネル変更検出装置と、
放送波を受信して、受信された放送波の映像信号及び音声信号を録画する録画手段とを備えたことを特徴とする。
【００１９】
上記録画装置において、録画予約された録画処理を実行するときに、上記チャンネル変更予定情報に基づいて、変更後の物理チャンネルがあるか否かを判断し、上記変更後の物理チャンネルがあるときに、上記チャンネル変更予定情報内の変更後の物理チャンネルで放送波を受信して実際に受信できるか否かを判断し、実際に受信できるときに録画処理を実行する制御手段をさらに備えたことを特徴とする。ここで、上記制御手段は、実際に受信できないときに、録画処理に失敗した旨を報知することを特徴とする。
【００２０】
また、上記録画装置において、録画予約された録画処理を実行するときに、上記チャンネル移行リストに基づいて、変更後の物理チャンネルがあるか否かを判断し、上記変更後の物理チャンネルがあるときに、上記チャンネル移行リスト内の変更後の物理チャンネルで放送波を受信して実際に受信できるか否かを判断し、実際に受信できるときに録画処理を実行する制御手段をさらに備えたことを特徴とする。ここで、上記制御手段は、実際に受信できないときに、録画処理に失敗した旨を報知することを特徴とする。
【００２１】
第４の発明に係るテレビジョン受信装置は、放送波を受信して、上記受信された放送波の映像信号及び音声信号をそれぞれ表示し出力することを特徴とするテレビジョン受信装置において、上記放送チャンネル変更検出装置を備えたことを特徴とする。
【００２２】
第５の発明に係るテレビジョン受信装置は、放送波を受信して、上記受信された放送波の映像信号及び音声信号をそれぞれ表示し出力するテレビジョン受信装置において、上記録画装置を備えたことを特徴とする。
【発明の効果】
【００２３】
従って、本発明に係る放送チャンネル変更検出装置によれば、テレビジョン受信装置において変更すべき物理チャンネルに関する変更日時と変更前後の物理チャンネルとを含むチャンネル変更予定情報を検索して自動的に検出することができる。これにより、利用者が「チャンネルサーチ」などを行わなくとも放送チャンネルの変更があったことを検出し、放送局が予定しているチャンネルの変更日時と実際にチャンネルが変更されるまでの誤差で生じる受信不可能な状態を「プリセット情報」に反映することを防止することができる。
【００２４】
また、上記検出されたチャンネル変更予定情報に基づいて、上記チャンネル変更予定情報内の変更日時が現在日時よりも以前であるときに、上記チャンネル変更予定情報内の変更後の物理チャンネルで放送波を受信して実際に受信できるか否かを判断し、実際に受信できる放送波に関する変更前後の物理チャンネルをチャンネル移行リストとして第２の記憶手段に格納する。従って、上記放送チャンネルの変更を検出したとき、実際に当該放送チャンネルの放送波を受信できるか否かを確認することができる。
【００２５】
さらに、上記放送チャンネルの変更を検出したとき、もしくは、上記放送チャンネルの放送波の受信を確認したとき、その旨のメッセージを報知し、もしくは、「プリセット情報」を適切に更新することができる。
【発明を実施するための最良の形態】
【００２６】
以下、本発明に係る好ましい実施形態について、図面を参照して説明する。
【００２７】
図１は、本発明の好ましい実施形態に係る放送チャンネル変更検出機能を有するテレビジョン受信装置の構成を示すブロック図である。本実施形態に係るテレビジョン受信装置の装置コントローラ２０は、図６乃至図８の放送チャンネル変更検出、確認及び報知処理を実行することにより、放送波の放送チャンネルの変更を検出し、実際に当該放送チャンネルの放送波を受信できるか否かを確認し、その旨のメッセージを報知し、もしくは上記確認結果に基づいてデータメモリ３０内のチャンネルプリセット情報テーブル３１のプリセット情報を更新することを特徴としている。
【００２８】
図１において、放送波は、アンテナ１０Ａを介して放送波チューナ回路１０により受信され、放送波チューナ回路１０は受信された放送波の無線信号に対して低雑音増幅、周波数変換、中間周波増幅、復調などの処理を実行した後、映像信号と音声信号に分離してそれぞれ、映像信号処理回路１１及び音声信号処理回路１２に出力する。映像信号処理回路１１は、入力される映像信号に対してデスクランブルや復号化などの信号処理を実行した後、ＲＧＢプロセッサ１３及びＤＶＤレコーダ１７に出力する。また、音声信号処理回路１２は、入力される音声信号に対してデスクランブラや復号化などの処理を実行した後、増幅器１５及びＤＶＤレコーダ１７に出力する。ＲＧＢプロセッサ１３は、映像信号処理回路１１からの映像信号と映像信号発生回路１８からの映像信号とを合成して、合成後の映像信号をＲＧＢ信号に信号変換した後、例えば液晶ディスプレイなどのディスプレイ１４に出力して表示する。また、増幅器１５は、音声信号処理回路１２からの２チャンネルの音声信号と、音声信号発生回路１９からの２チャンネルの音声信号とを合成し、合成後の２チャンネルの音声信号を電力増幅してそれぞれ２個のスピーカ１６Ａ及び１６Ｂに出力する。さらに、ＤＶＤレコーダ１７は、装置コントローラ２０からの制御信号に基づいて、入力される映像信号及び音声信号を、ＤＶＤ、ＣＤ−ＲＷなどの光ディスクに格納して録画する一方、光ディスクに格納された映像信号及び音声信号を再生する。
【００２９】
本実施形態においては、２チャンネルの音声信号を処理しているが、本発明はこれに限らず、１チャンネル、５．１チャンネルサウンド、又は複数のチャンネルの音声信号を処理してもよい。
【００３０】
装置コントローラ２０は、ＤＶＤレコーダ１７を含むテレビジョン受信装置全体の動作を制御する。ここで、装置コントローラ２０にはクロック回路２１、キーボード２２、赤外線信号受信回路２３及びデータメモリ３０が接続され、クロック回路２１は現在日時を計時してそのデータを装置コントローラ２０に出力する。なお、クロック回路２１は、例えば放送波に含まれる現在日時情報、もしくは例えばインターネットなどの通信回線を介して受信される現在日時情報に基づいて計時している現在日時を校正してもよい。また、例えば放送波に含まれる現在日時情報をそのまま装置コントローラ２０において用いてもよい。データメモリ３０は、詳細後述するように、各種テーブル３１乃至３６と、一時的に各種のデータを待避して格納するための一時メモリ３７とを含む。また、利用者はキーボード２２を用いて入力されたデータや指示情報は装置コントローラ２０に入力される。テレビジョン受信装置の動作を遠隔制御するリモートコントローラ４０の赤外線送信部４０Ａからの遠隔制御メッセージを含む赤外線信号は、赤外線信号受信回路２３により受信され、復号化された後、その復号化データが装置コントローラ２０に入力される。
【００３１】
また、装置コントローラ２０は、データメモリ３０内の詳細後述する各種テーブル及びデータを参照して、図６乃至図８に図示された放送チャンネル変更検出、確認及び報知処理を実行することにより、放送波の放送チャンネルの変更を検出し、実際に当該放送チャンネルの放送波を受信できるか否かを確認し、その旨のメッセージを報知し、もしくは上記確認結果に基づいてデータメモリ３０内のチャンネルプリセット情報テーブル３１のプリセット情報を更新する。
【００３２】
ここで、装置コントローラ２０は、例えばチャンネル移行リスト画像表示モードが設定されているときに、データメモリ３０内のチャンネル移行リストテーブル３５のデータに関する映像信号を映像信号発生回路１８により発生してディスプレイ１４に表示する。また、図９又は図１０の録画予約実行処理において、装置コントローラ２０は、「録画予約処理の開始時に選局した放送局がなく録画予約処理を失敗しました」旨のメッセージに関する映像信号を映像信号発生回路１８により発生してディスプレイ１４に表示する。さらに、装置コントローラ２０は、チャンネル移行リスト音声出力モードが設定されているときに、データメモリ３０内のチャンネル移行リストテーブル３５のデータに関する音声信号を音声信号発生回路１９により発生してスピーカ１６Ａ及び１６Ｂから出力する。またさらに、装置コントローラ２０は、チャンネル移行リストに基づくプリセット自動変更モードが設定されているときに、データメモリ３０内のチャンネル移行リストテーブル３５のデータに基づいてチャンネルプリセット情報テーブル３１のプリセット情報を自動的に更新する。
【００３３】
図２は、図１のデータメモリ３０内のチャンネルプリセット情報テーブル３１の構成の一例を示す図である。図２から明らかなように、チャンネルプリセット情報テーブル３１は、例えばキーボード２２を用いて予め入力された、いわゆる「プリセット情報」を格納するものであり、リモートコントローラ４０に設けられた選局用のキー番号（ポジション番号ともいう。）毎に、ディスプレイ１４の画面に表示されるチャンネル番号である表示チャンネルと、実際に放送波を受信するための放送波周波数に対応する物理チャンネルとを格納する。
【００３４】
本実施形態においては、既存の放送チャンネルを所定の放送チャンネルに変更するときの変更予定日時及び変更前後の放送チャンネルの情報などを含む「チャンネル変更情報」とその詳細情報である「チャンネル変更詳細情報」を、所定の放送波を受信してそのデータ放送内のデータ部分から抽出して、本実施形態に係る放送チャンネルの変更の検出、確認及び報知の処理を実行する。日本国では、具体的には、例えば、ＳＤＴＴ（Software Download Trigger Table）とその詳細情報サービスである「エンジニアリングサービス」で提供される詳細情報から、「チャンネル変更情報」と「チャンネル変更詳細情報」を得ることができる。ここで、ＳＤＴＴは、ソフトウェアに関する差分データのスケジュール情報を送出するテーブルであって、「チャンネル周波数変更情報」の受信をトリガとして「周波数変更詳細情報」の取得処理に移行する。ＳＤＴＴには、対応可能な必要最低限の情報（対象地域、変更開始年月日、変更作業期間など）を送出している。また、エンジニアリングサービスは、さらに詳細な情報（変更前後のチャンネルリスト、変更日など）を送出している。エンジニアリングサービスの詳細情報としては、例えば以下の情報などを含む。
（１）地域識別：サービスエリアを示す地域識別値である。
（２）ネットワークループ数：当該サービスエリアをサービスエリアとする放送数であり、運営中の数に加え新規開局予定の数も含む。
（３）ネットワーク識別：当該地上波デジタルテレビジョン放送のネットワーク識別である。
（４）トランスポートストリーム識別：当該地上デジタルテレビジョン放送のトランスポートストリーム識別である。
（５）バージョン番号：当該ネットワークの周波数情報のバージョンを示す。
（６）スケジュール数：周波数変更や新規置局などのスケジュール数を記載している。変化が無い場合はここに０を記載する。
（７）開始年月日：変更作業の開始日を示す。
（８）継続期間：変更にかかる期間を日数表示する、
（９）変更詳細情報数：当該ネットワークで前述の期間で運用に関し変更がある送信所の数を記載する。
（１０）送信所識別：変更する送信所識別を記載し、全国でユニークな値が割り振られる。
（１１）変更年月日：具体的な作業日を開始日との差分値で記載する。ただし、実際の作業実施日は記載された実施日と多少前後することを受信機は考慮する必要がある。変更日は、試験電波の送出日ではなく工事の落成日であり、変更日以降は、安定して電波を送出し続けることを原則とする。
（１２）変更時刻：変更時刻を時間単位で記載する。ただし、実際の変更時刻は記載された変更時刻と多少前後することを受信機は考慮する必要がある。
（１３）サイマル運用期間：サイマル運用で旧周波数でも一定期間送出運用される場合、その期間を日数で記載する。なお、サイマル運用期間は、変更日以降のサイマル期間を記載する。
（１４）変更前物理チャンネル番号：変更前の物理チャンネル番号を記載する。なお、新規置局の場合は０を記載する。
（１５）変更後物理チャンネル番号：変更後の物理チャンネル番号を記載する。なお、経営統合などで放送を終了する場合は０を記載する。
【００３５】
図３は、図１のデータメモリ３０内のチャンネル変更予定情報テーブル３２の構成の一例を示す図である。図３のチャンネル変更予定情報テーブル３２は、本実施形態に係るテレビジョン受信装置において、当該サービスエリア内での変更予定情報を抽出した情報テーブルであって、格納アドレス毎に、１つの放送波の変更日時、及び変更前後の物理チャンネルを格納する。なお、「変更日時」が、当該情報の抽出時に経過済みであるときは「経過済み」と記載する。
【００３６】
また、図１のデータメモリ３０内のチャンネル変更情報テーブル３３は、所定の放送波を受信して抽出された「チャンネル変更情報」を格納し、図１のデータメモリ３０内のチャンネル変更詳細情報テーブル３４は、上記放送波を受信して抽出された「チャンネル変更詳細情報」を格納する。
【００３７】
図４は、図１のデータメモリ３０内のチャンネル移行リストテーブル３５の構成の一例を示す図である。図４のチャンネル移行リストテーブル３５は、当該テレビジョン受信装置においてチャンネルを移行すべきリストを格納し、具体的には、格納アドレス毎に、変更前後の物理チャンネルを格納する。
【００３８】
図５は、図１のデータメモリ３０内の録画予約テーブル３６の構成の一例を示す図である。図５の録画予約テーブル３６は、ＤＶＤレコーダ１７を用いて録画予約すべきリストを格納し、具体的には、予約番号毎に、録画予約の開始日時、終了日時、及びキー番号（チャンネルプリセット情報テーブル３１を参照することにより、対応する物理チャンネルを特定できる。）を格納する。
【００３９】
図６乃至図８は、図１の装置コントローラ２０によって実行される放送チャンネル変更検出、確認及び報知処理を示すフローチャートである。当該放送チャンネル変更検出、確認及び報知処理は、以下の３つの部分処理から構成される。
（１）図６のステップＳ１乃至Ｓ１２までの「放送チャンネルの変更検出処理」：「チャンネル変更情報」及び「チャンネル変更詳細情報」に基づいて当該サービスエリアにおいて放送チャンネルの変更が予定されている、もしくは変更済みの放送チャンネルに関する変更日時及び変更前後の物理チャンネルを含むチャンネル変更予定情報テーブル３２を作成する処理である。。
（２）図７のステップＳ２１乃至Ｓ２８までの「放送チャンネルの確認処理」：作成されたチャンネル変更予定情報テーブル３２に基づいて、放送チャンネルが変更された放送波を実際に受信できるか否かを確認し、その結果としてチャンネル移行リストテーブル３５を作成する処理である。
（３）図８のステップＳ３１乃至Ｓ３７までの「放送チャンネルの報知処理」：作成されたチャンネル移行リストテーブル３５のデータのメッセージを画像又は音声合成により報知し、もしくは、チャンネル移行リストテーブル３５のデータに基づいてチャンネルプリセット情報テーブル３１を更新する処理である。
【００４０】
図６のステップＳ１において、まず、放送波チューナ回路１０を制御して「チャンネル変更情報」を放送している放送波を選局し、ステップＳ２において「チャンネル変更情報」を受信してチャンネル変更情報テーブル３３に格納する。次いで、ステップＳ３において、上記受信された「チャンネル変更情報」のバージョンは、以前に受信されてチャンネル変更情報テーブル３３に格納されたチャンネル変更情報のバージョンよりも新しいか否かが判断され、ＹＥＳのときはステップＳ４に進む一方、ＮＯのときは図７のステップＳ２１に進む。ステップＳ４では、放送波チューナ回路１０を制御してチャンネル変更詳細情報を放送している放送波を選局し、ステップＳ５において、利用者のサービスエリア内の「チャンネル変更詳細情報」を受信してチャンネル変更詳細情報テーブル３４に格納してステップＳ６に進む。
【００４１】
ステップＳ６では、チャンネル変更詳細情報テーブル３４に格納された「チャンネル変更詳細情報」のうちの未処理の１つのデータを選択し、ステップＳ７において、選択されたデータに関する変更予定日時は現在日時よりも以前であるか否かが判断され、ＹＥＳのときはステップＳ８に進む一方、ＮＯのときはステップＳ１１に進む。次いで、ステップＳ８において、変更後の物理チャンネルがチャンネルプリセット情報テーブル３１に格納されているか否かが判断され、ＹＥＳのときはステップＳ９に進む一方、ＮＯのときはステップＳ１０に進む。ステップＳ９では、すでにチャンネルプリセット情報テーブル３１において物理チャンネルが変更済みであるので、選択されたデータをチャンネル変更詳細情報テーブル３４から削除してステップＳ１２に進む。また、ステップＳ１０では、チャンネルプリセット情報テーブル３１において物理チャンネルが未変更であるので、選択された変更すべきデータに関する変更前後の物理チャンネルを、変更日時を「経過済み」としてチャンネル変更予定情報テーブル３２に格納し、ステップＳ１２に進む。さらに、ステップＳ１１では、チャンネルプリセット情報テーブル３１において物理チャンネルが未変更であるので、選択された変更すべきデータに関する変更前後の物理チャンネルを、変更日時とともにチャンネル変更情報テーブル３２に格納し、ステップＳ１２に進む。ステップＳ１２において、チャンネル変更詳細情報テーブル３４に格納された「チャンネル詳細変更情報」のうちのすべてのデータを処理したか否かが判断され、ＹＥＳのときは図７のステップＳ２１に進む一方、ＮＯのときはステップＳ６に戻り、上述のステップＳ６乃至Ｓ１２までの処理を繰り返す。
【００４２】
図７のステップＳ２１において、チャンネル移行リストテーブル３５内のデータをすべて削除し、ステップＳ２２において、チャンネル変更予定情報テーブル３２に格納された「チャンネル変更予定情報」のうちの未処理の１つのデータを選択し、ステップＳ２３において、選択されたデータの変更日時は「経過済み」であるか又は現在日時よりも以前か否かが判断され、ＹＥＳのときはステップＳ２４に進む一方、ＮＯのときは図８のステップＳ３１に進む。ステップＳ２４では、選択されたデータの物理チャンネルで放送波を受信し、ステップＳ２５において放送波を受信できたか否かが判断され、ＹＥＳのときはステップＳ２６に進む一方、ＮＯのときはステップＳ２７に進む。ステップＳ２６では、選択されたデータの放送波は変更後の物理チャンネルに移行していると判断して変更前後の物理チャンネルをチャンネル移行リストテーブル３５に格納し、ステップＳ２８に進む。一方、ステップＳ２７では、選択されたデータの放送波は変更後の物理チャンネルに移行していないと判断して当該選択されたデータをチャンネル移行リストテーブル３５に格納せず、ステップＳ２８に進む。ステップＳ２８において、チャンネル変更予定情報テーブル３２に格納されたチャンネル変更予定情報のうちのすべてのデータについて処理したか否かが判断され、ＹＥＳのときは図８のステップＳ３１に進む一方、ＮＯのときはステップＳ２２に戻り、上述のステップＳ２２乃至Ｓ２８までの処理を繰り返す。
【００４３】
図８のステップＳ３１において、チャンネル移行リストテーブル３５にデータがあるか否かが判断され、ＹＥＳのときはステップＳ３２に進む一方、ＮＯのときは当該処理を終了する。次いで、ステップＳ３２においてチャンネル移行リスト画像表示モードか否かが判断され、ＹＥＳのときはステップＳ３３に進む一方、ＮＯのときはステップＳ３４に進む。また、ステップＳ３３では、チャンネル移行リストテーブル３５内のデータのメッセージを含む映像信号を映像信号発生回路１８により発生してディスプレイ１４に表示し、当該処理を終了する。そして、ステップＳ３４において、チャンネル移行リスト音声出力モードか否かが判断され、ＹＥＳのときはステップＳ３５に進む一方、ＮＯのときはステップＳ３６に進む。さらに、ステップＳ３５では、チャンネル移行リストテーブル３５内のデータのメッセージの音声を含む音声信号を音声信号発生回路１９により音声合成により発生してスピーカ１６Ａ及び１６Ｂから出力し、当該処理を終了する。ステップＳ３６では、チャンネル移行リストに基づくプリセット自動変更モードか否かが判断され、ＹＥＳのときはステップＳ３７に進む一方、ＮＯのときは当該処理を終了する。ステップＳ３７において、チャンネル移行リストテーブル３５内のデータに基づいてチャンネルプリセット情報テーブル３１を更新し、当該処理を終了する。
【００４４】
図９は、図１の装置コントローラ２０によって実行される第１の録画予約実行処理を示すフローチャートである。当該第１の録画予約実行処理は、少なくとも図６の「放送チャンネルの変更検出処理」が終了しているときに、ＤＶＤレコーダ１７を用いて録画予約して録画を実行するときに、「放送チャンネルの確認処理」を実行する処理である。
【００４５】
図９のステップＳ４１において、まず、録画予約テーブル３６の開始日時と、クロック回路２１からの現在日時とを比較することにより、録画予約開始日時を経過したか否かが判断され、ＹＥＳとなるまでステップＳ４１の処理を実行し、ＹＥＳとなったとき、ステップＳ４２に進む。ステップＳ４２において、チャンネルプリセット情報テーブル３１を参照して録画予約テーブル３６内のキー番号に対応する物理チャンネルを検索し、ステップＳ４３において放送波チューナ回路１０を制御して検索した物理チャンネルで選局する。次いで、ステップＳ４４において選局に成功したか否かが判断され、ＹＥＳのときはステップＳ４５に進む一方、ＮＯのときはステップＳ４６に進む。ステップＳ４５では、録画処理を実行して終了日時で終了し、当該処理を終了する。
【００４６】
ステップＳ４６では、チャンネル変更予定情報テーブル３２を参照して上記検索した物理チャンネルから変更後の物理チャンネルを検索し、ステップＳ４７において変更後の物理チャンネルがあるか否かが判断され、ＹＥＳのときはステップＳ４８に進む一方、ＮＯのときはステップＳ５１に進む。そして、ステップＳ４８では、上記検索した変更後の物理チャンネルで放送波チューナ回路１０を制御して選局し、ステップＳ４９において選局に成功したか否かが判断され、ＹＥＳのときはステップＳ５０に進む一方、ＮＯのときはステップＳ５１に進む。ステップＳ５０において録画処理を実行して終了日時で終了して、当該処理を終了する。さらに、ステップＳ５１では、「録画予約処理の開始時に選局した放送局がなく録画予約処理を失敗しました」旨のメッセージに関する映像信号を映像信号発生回路１８により発生してディスプレイ１４に表示し、当該処理を終了する。
【００４７】
以上説明したように、図９の第１の録画予約実行処理においては、チャンネルプリセット情報テーブル３１に記載された物理チャンネルで選局に失敗したときにおいて、チャンネル変更予定情報テーブル３２において変更後の物理チャンネルがあるとき、当該物理チャンネルの選局を行って実際に放送波が送信されているか否かの確認を行った後、選局に成功すれば指定された録画処理を実行するが、選局に失敗したときは失敗した旨のメッセージを表示する。従って、利用者が個々にチャンネル変更予定情報テーブル３２を参照して放送波の変更有無、及び実際の送信の有無を確認する手間を省くことができ、大幅に操作性を改善できる。
【００４８】
図１０は、図１の装置コントローラ２０によって実行される第２の録画予約実行処理を示すフローチャートである。当該第２の録画予約実行処理は、少なくとも図７の「放送チャンネルの確認処理」が終了しているときに、ＤＶＤレコーダ１７を用いて録画予約して録画を実行するときに、「放送チャンネルの確認処理」を実行する処理である。
【００４９】
図１０のステップＳ６１において、まず、録画予約テーブル３６の開始日時と、クロック回路２１からの現在日時とを比較することにより、録画予約開始日時を経過したか否かが判断され、ＹＥＳとなるまでステップＳ６１の処理を繰り返し、ＹＥＳとなったとき、ステップＳ６２において、チャンネルプリセット情報テーブル３１を参照して録画予約テーブル３６内のキー番号に対応する物理チャンネルを検索し、ステップＳ６３において、チャンネル移行リストテーブル３５を参照して上記検索した物理チャンネルから変更後の物理チャンネルを検索する。次いで、ステップＳ６４において、変更後の物理チャンネルがあるか否かが判断され、ＹＥＳのときはステップＳ６５に進む一方、ＮＯのときはステップＳ６８に進む。ステップＳ６５では、上記検索した変更後の物理チャンネルで放送波チューナ回路１０を制御して選局し、ステップＳ６６において選局に成功したか否かが判断され、ＹＥＳのときはステップＳ６７に進む一方、ＮＯのときはステップＳ６８に進む。ステップＳ６７では、録画処理を実行して終了日時で終了して当該処理を終了する。また、ステップＳ６８では、「録画予約処理の開始時に選局した放送局がなく録画予約処理を失敗しました」旨のメッセージに関する映像信号を映像信号発生回路１８により発生してディスプレイ１４に表示して当該処理を終了する。
【００５０】
以上説明したように、図１０の第２の録画予約実行処理においては、チャンネル移行リストテーブル３５において変更後の物理チャンネルがあるとき、当該物理チャンネルの選局を行って実際に放送波が送信されているか否かの確認を行った後、選局に成功すれば指定された録画処理を実行するが、選局に失敗したときは失敗した旨のメッセージを表示する。従って、利用者が個々にチャンネル移行リストテーブル３５を参照して放送波の変更有無、及び実際の送信の有無を確認する手間を省くことができ、大幅に操作性を改善できる。
【００５１】
図６の放送チャンネルの変更検出処理においては、受信された「チャンネル変更情報」と「チャンネルプリセット情報」とに基づいて、チャンネル変更予定情報テーブル３２を生成しているが、本発明はこれに限らず、例えば、ステップS８の処理を実行せず、受信された「チャンネル変更情報」に基づいて、チャンネル変更予定情報テーブル３２を生成してもよい。
【００５２】
図８のステップＳ３３及びＳ３５において、チャンネル移行リストテーブル３５内のデータのメッセージを表示又は音声出力しているが、本発明はこれに限らず、他の報知方法により当該メッセージを報知してもよい。また、チャンネル移行リストテーブル３５内のデータのメッセージを表示又は音声出力する報知処理と、ステップＳ３７のチャンネルプリセット情報テーブル３１の更新処理とをともに実行してもよい。
【００５３】
図８の放送チャンネルの報知処理においては、チャンネル移行リストテーブル３５に基づいて、そのデータの表示、音声出力、及びチャンネルプリセット情報テーブル３１の更新を実行しているが、本発明はこれに限らず、チャンネル変更予定情報テーブル３２に基づいて、そのデータの表示、音声出力、及びチャンネルプリセット情報テーブル３１の更新を実行してもよい。
【００５４】
以上の実施形態においては、テレビジョン受信装置においてＤＶＤレコーダ１７を備えているが、ＤＶＤレコーダ１７に代えて、ビデオテープレコーダなどの録画装置を備えてもよい。
【００５５】
以上の実施形態においては、チャンネル変更検出、確認及び報知機能を有するテレビジョン受信装置においてＤＶＤレコーダ１７を備えているが、チャンネル変更検出、確認及び報知機能を有するＤＶＤレコーダ１７などの録画装置を構成してもよい。
【００５６】
以上説明したように、本実施形態によれば、テレビジョン受信装置において変更すべき物理チャンネルに関する変更日時と変更前後の物理チャンネルとを含むチャンネル変更予定情報を検索して自動的に検出することができる。これにより、利用者が「チャンネルサーチ」などを行わなくとも放送チャンネルの変更があったことを検出し、放送局が予定しているチャンネルの変更日時と実際にチャンネルが変更されるまでの誤差で生じる受信不可能な状態を「プリセット情報」に反映することを防止することができる。
【００５７】
また、上記検出されたチャンネル変更予定情報に基づいて、上記チャンネル変更予定情報内の変更日時が現在日時よりも以前であるときに、上記チャンネル変更予定情報内の変更後の物理チャンネルで放送波を受信して実際に受信できるか否かを判断し、実際に受信できる放送波に関する変更前後の物理チャンネルをチャンネル移行リストとして第２の記憶手段に格納する。従って、上記放送チャンネルの変更を検出したとき、実際に当該放送チャンネルの放送波を受信できるか否かを確認することができる。
【００５８】
さらに、上記放送チャンネルの変更を検出したとき、もしくは、上記放送チャンネルの放送波の受信を確認したとき、その旨のメッセージを報知し、もしくは、「プリセット情報」を適切に更新することができる。
【００５９】
またさらに、利用者はチャンネルサーチをしなくても直ぐにチャンネルの変更があったことを認識でき、また、放送局はチャンネルを変更する予定日時情報とチャンネル情報を事前に送信する場合に、放送局によって日時に対する誤差が発生する場合に対しても、本実施形態に係る装置によって、事前に受信する変更情報と前記日時にチャンネルを受信することで、実際のチャンネル変更に追従できる報知を行うことができる。
【００６０】
またさらに、放送チャンネルの変更があった場合、本実施形態に係る装置が利用者に報知を行うことでポジション情報を更新するタイミングを報知できることができ、利用者はポジションのチャンネルの変更を行えるために、古いチャンネル情報で受信してしまうことを回避することが可能になる。
【００６１】
さらに、本実施形態から変形された種々の変形例について以下に説明する。
【００６２】
第１の変形例．
第１の変形例では、第１の録画予約実行処理の実行タイミングに対応するタイミングにおいて実行される処理であり、録画予約又は録画予約の実行のときに実行する。
（１）チャンネル変更予定情報テーブル３２のデータにより、変更前でも予め変更予定情報が分かっているので、その警告メッセージを予約設定時に利用者に表示又は音声出力して報知し、周波数変更が発生する可能性があるため設定しょうとしている予約が実行時に失敗する可能性があることを報知してもよい。もしくは、チャンネル変更予定情報テーブル３２のデータ全体を報知してもよい。
（２）チャンネル変更予定情報テーブル３２のデータにより、変更前でも予め変更予定情報が分かっているので、その警告メッセージ表示し又は音声出力して報知した後、Ｙｅｓ／Ｎｏを入力できる操作画面を表示し、ここで、「この録画予約は実行時周波数が変更されている可能性があります。録画予約の実行は変更予定のチャンネルで選局を行いますか？」等のメッセージを表示して、利用者の意思をＹｅｓ／Ｎｏの操作画面で意思表示をさせた後、Ｙｅｓの場合、今回設定した録画予約は変更後のチャンネルで選局する一方、Ｎｏの場合は、録画予約設定時のチャンネルで選局する。
【００６３】
第２の変形例．
第２の変形例では、第２の録画予約実行処理の実行タイミングに対応するタイミングにおいて実行される処理であり、録画予約又は録画予約の実行のときに実行する。
（１）チャンネル移行リストテーブル３５のデータにより、変更前でも予め変更予定情報が分かっているので、その警告メッセージを予約設定時に利用者に表示又は音声出力して報知し、周波数変更が発生する可能性があるため設定しょうとしている予約が実行時に失敗する可能性があることを報知してもよい。もしくは、チャンネル移行リストテーブル３５のデータ全体を報知してもよい。
（２）チャンネル移行リストテーブル３５のデータにより、変更前でも予め変更予定情報が分かっているので、その警告メッセージ表示し又は音声出力して報知した後、Ｙｅｓ／Ｎｏを入力できる操作画面を表示し、ここで、「この録画予約は実行時周波数が変更されている可能性があります。録画予約の実行は変更予定のチャンネルで選局を行いますか？」等のメッセージを表示して、利用者の意思をＹｅｓ／Ｎｏの操作画面で意思表示をさせた後、Ｙｅｓの場合、今回設定した録画予約は変更後のチャンネルで選局する一方、Ｎｏの場合は、録画予約設定時のチャンネルで選局する。
【００６４】
第３の変形例．
利用者がテレビジョン受信装置の通常使用時の選局操作において、以下の処理を実行してもよい。
（１）利用者がチャンネル設定や通常選局したとき、変更前の周波数で選局して選局できなかったときに、チャンネル変更予定情報テーブル３２又はチャンネル移行リストテーブル３５に基づいて、変更後の物理チャンネルを用いて自動的に選局し直すように制御する。その特有の効果としては、放送チャンネルは夜中には停波している可能性があり、ＳＤＴＴなどのチャンネル変更情報の取得後のチャンネルサーチのタイミングがこの時間帯と一致すれば、チャンネル変更があった場合でも正しく受信できなくなり、チャンネル変更があったかどうか判断できない場合が予想され、当該方法により利用者にとって適時対応できるタイミングを増やすことができる。
（２）利用者がチャンネル設定や通常選局したとき、変更前のチャンネルで選局して選局できなかったときに、Ｙｅｓ／Ｎｏの操作画面を表示してＹｅｓを入力すれば、チャンネル変更予定情報テーブル３２又はチャンネル移行リストテーブル３５の情報データに基づいて自動的に選局し直すように制御し、さらにはチャンネルプリセット情報テーブル３１内のデータの更新も実行してもよい。これにより、利用者がチャンネル設定や通常選局時において、正しく受信できる機会を増大させ、かつチャンネルプリセット情報テーブル３１内のデータを最新の状態に更新できる。
【産業上の利用可能性】
【００６５】
以上詳述したように、本発明に係る放送チャンネル変更検出装置によれば、テレビジョン受信装置において変更すべき物理チャンネルに関する変更日時と変更前後の物理チャンネルとを含むチャンネル変更予定情報を検索して自動的に検出することができる。これにより、利用者が「チャンネルサーチ」などを行わなくとも放送チャンネルの変更があったことを検出し、放送局が予定しているチャンネルの変更日時と実際にチャンネルが変更されるまでの誤差で生じる受信不可能な状態を「プリセット情報」に反映することを防止することができる。
【００６６】
また、上記検出されたチャンネル変更予定情報に基づいて、上記チャンネル変更予定情報内の変更日時が現在日時よりも以前であるときに、上記チャンネル変更予定情報内の変更後の物理チャンネルで放送波を受信して実際に受信できるか否かを判断し、実際に受信できる放送波に関する変更前後の物理チャンネルをチャンネル移行リストとして第２の記憶手段に格納する。従って、上記放送チャンネルの変更を検出したとき、実際に当該放送チャンネルの放送波を受信できるか否かを確認することができる。
【００６７】
さらに、上記放送チャンネルの変更を検出したとき、もしくは、上記放送チャンネルの放送波の受信を確認したとき、その旨のメッセージを報知し、もしくは、「プリセット情報」を適切に更新することができる。
【図面の簡単な説明】
【００６８】
【図１】図１は、本発明の好ましい実施形態に係る放送チャンネル変更検出機能を有するテレビジョン受信装置の構成を示すブロック図である。
【図２】図２は、図１のデータメモリ３０内のチャンネルプリセット情報テーブル３１の構成の一例を示す図である。
【図３】図３は、図１のデータメモリ３０内のチャンネル変更予定情報テーブル３２の構成の一例を示す図である。
【図４】図４は、図１のデータメモリ３０内のチャンネル移行リストテーブル３５の構成の一例を示す図である。
【図５】図５は、図１のデータメモリ３０内の録画予約テーブル３６の構成の一例を示す図である。
【図６】図６は、図１の装置コントローラ２０によって実行される放送チャンネル変更検出、確認及び報知処理の第１の部分を示すフローチャートである。
【図７】図７は、図１の装置コントローラ２０によって実行される放送チャンネル変更検出、確認及び報知処理の第２の部分を示すフローチャートである。
【図８】図８は、図１の装置コントローラ２０によって実行される放送チャンネル変更検出、確認及び報知処理の第３の部分を示すフローチャートである。
【図９】図９は、図１の装置コントローラ２０によって実行される第１の録画予約実行処理を示すフローチャートである。
【図１０】図１０は、図１の装置コントローラ２０によって実行される第２の録画予約実行処理を示すフローチャートである。
【手続補正３】
【補正対象書類名】図面
【補正対象項目名】全図
【補正方法】変更
【補正の内容】
【図１】
2005011265.tif 000013
【図２】
2005011265.tif 000014
【図３】
2005011265.tif 000015
【図４】
2005011265.tif 000016
【図５】
2005011265.tif 000017
【図６】
2005011265.tif 000018
【図７】
2005011265.tif 000019
【図８】
2005011265.tif 000020
【図９】
2005011265.tif 000021
【図１０】
2005011265.tif 000022
【国際調査報告】
2005011265.tif 000023
2005011265.tif 000024